(57)【要約】【課題】リソース確保制御の処理負荷を軽減することができる通信制御装置および通信システムを提供することを目的とする。【解決手段】ＡＳ２０１において、ＳＩＰ信号受信部２１１は、発端末１０１からの呼接続要求であるＩＮＶＩＴＥ信号を受信する。そして、サービス判断部２２１は、ＩＮＶＩＴＥ信号が、複数の宛先に分岐して着信させる分岐処理を依頼したものであるか否かを判断する。ＳＩＰ信号送信部２４１は、分岐処理を依頼したものであると判断されると、ＭＲＦ２０３へ接続処理を行う。そして、ＳＩＰ信号送信部２４１は、ＭＲＦ２０３と発端末１０１との間のリソースを確保するために、ＭＲＦ２０３に通信接続し、ＭＲＦ２０３と発端末１０１とがリソースを確保した後、複数の宛先である着端末２０５、２０６との間でリソースの確保のための処理を行う。【選択図】  図３
2019102969.tif 000002
【特許請求の範囲】
【請求項１】
発信側端末からの呼接続要求を受信する受信部と、
前記呼接続要求が、複数の宛先に分岐して着信させる分岐処理を依頼したものであるか否かを判断する判断部と、
前記判断部により分岐処理を依頼したものであると判断されると、あらかじめ定められた処理装置へ接続処理を行う通信処理部と、
を備え、
前記通信処理部は、前記処理装置に対して接続処理を行うことで、前記処理装置と前記発信側端末との間のリソースが確保され、前記リソースが確保された後、前記複数の宛先である着信側端末との間でリソースの確保を行う、通信制御装置。
【請求項２】
前記通信処理部は、
前記処理装置と前記発信側端末との間のリソースが確保されると、前記発信側端末がリソース確保済みを示す呼接続要求を、前記複数の宛先に対して送信することで、前記複数の宛先となる着信側端末に対してリソースの確保を行わせる、請求項１に記載の通信制御装置。
【請求項３】
前記処理装置は、前記通信制御装置からの接続処理中には音声ガイダンスを発することのないＭＲＦ（Media Resource Function）である、請求項１または２に記載の通信制御装置。
【請求項４】
請求項２に記載の通信制御装置と、複数の着信側端末に対するセッション制御を行う制御サーバとを含んだ通信システムにおいて、
前記通信制御装置は、前記制御サーバに対して前記発信側端末がリソース確保済みであることを示す呼接続要求を送信し、
前記制御サーバは、前記呼接続要求を前記複数の着信側端末のそれぞれに対して送信することにより、前記通信制御装置と前記着信側端末との間のリソースを確保する、通信システム。
【発明の詳細な説明】
【技術分野】
【０００１】
本発明は、リソース管理を行う通信制御装置および通信システムに関する。
【背景技術】
【０００２】
下記非特許文献１において、リソース管理のためにPrecondition制御が行われ、発信側端末と着信側端末との間で１体１でのU-planeリソースを確保することが規定されている。
【先行技術文献】
【非特許文献】
【０００３】
【非特許文献１】ＩＥＴＦ ＲＦＣ３３１２  Integration of ResourceManagement and Session Initiation Protocol (SIP)
【発明の概要】
【発明が解決しようとする課題】
【０００４】
しかしながら、フォーキング（Forking：分岐処理）実行時においてPrecondition制御を実施しようとすると、発信側端末は、着信側端末ごとにPreconditionを実施する必要がある。そのため発信側端末において、複数のダイアログに対するPrecondition制御を実施し、処理負荷が大きいという問題がある。なお、フォーキングとは、ＣＳＣＦが複数の着端末とセッションを確立する技術である。
【０００５】
そこで、リソース確保制御の処理負荷を軽減することができる通信制御装置および通信システムを提供することを目的とする。
【課題を解決するための手段】
【０００６】
上述の課題を解決するために、本発明の通信制御装置は、発信側端末からの呼接続要求を受信する受信部と、前記呼接続要求が、複数の宛先に分岐して着信させる分岐処理を依頼したものであるか否かを判断する判断部と、前記判断部により分岐処理を依頼したものであると判断されると、あらかじめ定められた処理装置へ接続処理を行う通信処理部とを備え、前記通信処理部は、前記処理装置と前記発信側端末との間のリソースを確保し、前記リソースを確保した後、前記複数の宛先との間でリソースの確保を行う。
【０００７】
この構成により、フォーキング依頼などの分岐処理の依頼があった場合に、一旦、予め定められた処理装置にて終端させることができ、発信側端末のリソース確保のための処理負荷を軽減することができる。
【発明の効果】
【０００８】
本発明によれば、発信側端末のリソース確保のための処理負荷を軽減することができる。
【図面の簡単な説明】
【０００９】
【図１】本実施形態の通信制御装置であるＡＳ（Application Server）を含んだ通信システムのシステム構成を示す図である。
【図２】通信システムのシステムにおける信号の流れを模式的に示した図である。
【図３】ＡＳ２０１およびＳ−ＣＳＣＦ２０２の機能構成を示すブロック図である。
【図４】ＡＳ２０１のフォーキング指示に基づいた動作を示すフローチャートである。
【図５】ＡＳ２０１およびＳ−ＣＳＣＦ２０２を含んだ通信システムにおける処理シーケンスを示す図である。
【図６】本実施形態に係るＡＳ２０１のハードウェア構成の一例を示す図である。
【発明を実施するための形態】
【００１０】
添付図面を参照しながら本発明の実施形態を説明する。可能な場合には、同一の部分には同一の符号を付して、重複する説明を省略する。
【００１１】
図１は、本実施形態の通信制御装置であるＡＳ（Application Server）を含んだ通信システムのシステム構成を示す図である。図１に示される通り、この通信システムは、発ＮＷ（発信側ネットワーク）１００を構築する通信システムと、着ＮＷ（着信側ネットワーク）２００を構築する通信システムとからなる。
【００１２】
発ＮＷ１００は、発端末１０１、Ｐ−ＣＳＣＦ（Proxy-Call Session Control Function）１０２、およびＳ−ＣＳＣＦ（Serving-CSCF）１０３を含んで構成される。着ＮＷ２００は、ＡＳ２０１、Ｓ−ＣＳＣＦ２０２、ＭＲＦ（Media Resource Function） ２０３、およびＰ−ＣＳＣＦ２０４を含んで構成される。
【００１３】
発端末１０１は、通信端末である。本実施形態では携帯端末を想定しているが、これに限られるものではない。
【００１４】
Ｐ−ＣＳＣＦ１０２は、セッション制御を行うＳＩＰプロキシ装置であり、発端末１０１と通信接続するサーバである。
【００１５】
Ｓ−ＣＳＣＦ１０３は、セッション制御を行うＳＩＰ（Session Initiation Protocol）サーバである。本実施形態においては、Ｓ-ＣＳＣＦ１０３は、着ＮＷ２００のＳ−ＣＳＣＦ２０２と通信接続する。
【００１６】
ＡＳ２０１は、アプリケーションサーバであり、例えば音声通話に対する各種サービス（認証処理および課金処理など）を実行するためのサーバである。本実施形態においては、所定の着信要求を受信すると、メディアサーバであるＭＲＦ２０３に接続する処理を行う。
【００１７】
Ｓ-ＣＳＣＦ２０２は、ＳＩＰサーバであり、発ＮＷ１００からのＳＩＰ信号のセッション制御を行う。
【００１８】
ＭＲＦ２０３は、音声ガイダンスを発端末１０１に提供するサーバである。本実施形態においては、一旦、発端末１０１からの着信要求に対する着信処理を行うためのサーバとして機能するために、音声ガイダンスを出力する必要はない。本実施形態では、音声ガイダンスを出力しない状態を、無音ガイダンス接続と表現する。また、ＭＲＦ２０３に限定するものではなく、プリコンディションを終端可能な装置であれば、ＭＲＦ２０３に限定する必要はない。
【００１９】
Ｐ−ＣＳＣＦ２０４は、セッション制御サーバであり、発端末１０１と通信接続するサーバである。本実施形態においては、着端末２０５および着端末２０６を通信接続する。
【００２０】
着端末２０５および着端末２０６は、通信端末であり、本実施形態では、携帯端末を想定している。上記の通り、当然にこれに限られるものではない。
【００２１】
このような通信システムにおいて、図２を用いて、フォーキングの着信要求を受けた場合の処理について説明する。図２は、通信システムのシステムにおける信号の流れを模式的に示した図である。
【００２２】
図２に示される通り、発端末１０１は、着ＮＷ２００に対してＩＮＶＩＴＥ信号を送信する。このＩＮＶＩＴＥ信号には、着端末２０５および着端末２０６の宛先情報およびフォーキング処理の指示情報を含む。
【００２３】
Ｓ-ＣＳＣＦ２０２は、ＩＮＶＩＴＥ信号を受信し、ＡＳ２０１にＩＮＶＩＴＥ信号を転送する（Ｓ１０１）。
【００２４】
ＡＳ２０１は、ＩＮＶＩＴＥ信号が、そのヘッダ部にフォーキング処理の指示情報を含むか否かを判断する。そして、ＡＳ２０１は、ＭＲＦ２０３に接続するためのＩＮＶＩＴＥ信号をＭＲＦ２０３に送信して、ＭＲＦ２０３と通信接続する（Ｓ１０２）。
【００２５】
ＭＲＦ２０３は、発端末１０１との間でリソース確保処理を行って無音ガイダンス接続を行う（Ｓ１０３）。上記した通り、ＭＲＦ２０３は、発端末１０１との間でリソース確保処理を行うために存在するため、ガイダンス機能は必須ではない。無音ガイダンス接続は、無音状態で所定時間、通信接続状態であることを意味する。
【００２６】
無音ガイダンス接続後、ＡＳ２０１は、Ｓ-ＣＳＣＦ２０２に、発端末１０１においてリソース確保済みである情報を含んだＩＮＶＩＴＥ信号を送信する（Ｓ１０４）。このＩＮＶＩＴＥ信号のヘッダ部には、宛先情報（着端末２０５および着端末２０６）およびフォーキング処理を指示する情報を含む。
【００２７】
Ｓ-ＣＳＣＦ２０２は、受信したＩＮＶＩＴＥ信号がフォーキング指示であることを判断して、フォーキング処理を行う。ここでは、Ｓ−ＣＳＣＦ２０２は、着端末２０５および着端末２０６に対して、それぞれＩＮＶＩＴＥ信号を送信する（Ｓ１０５、Ｓ１０６）。そして、Ｓ−ＣＳＣＦ２０２は、着端末２０５および着端末２０６から１８３／１８０信号を受信する。１８３信号は、処理が進んでいることを示す信号であり、１８０信号はRingerを示す信号である。１８３信号においては、着側リソースが確保済みであることを示す情報が含まれている。
【００２８】
ＡＳ２０１は、Ｓ−ＣＳＣＦ２０２を介して、１８３信号を受信する。そして、ＡＳ２０１は、着端末２０５および着端末２０６との間でPreconditionを終端させ、着端末におけるリソースを確保する。
【００２９】
そして、リソースが確保された状態で、ＡＳ２０１と、着端末２０５および着端末２０６とが通信を行う。以上の処理によって、フォーキング処理を行うことができる。
【００３０】
つぎに、このような処理を行うＡＳ１００について説明する。図３は、ＡＳ２０１およびＳ−ＣＳＣＦ２０２の機能構成を示すブロック図である。図３に示されるとおり、ＡＳ２０１は、ＳＩＰ信号受信部２１１（受信部、通信処理部）、サービス判断部２２１（判断部）、ガイダンス判断部２３１、およびＳＩＰ信号送信部（通信処理部）を備えている。また、Ｓ−ＣＳＣＦ２０２は、ＳＩＰ信号送信部２１２およびＳＩＰ信号受信部２２２を備えている。
【００３１】
ＳＩＰ信号送信部２１２およびＳＩＰ信号受信部２２２は、ＡＳ２０１との間でＩＮＶＩＴＥ信号などのＳＩＰ信号を送受信する部分である。
【００３２】
ＡＳ２０１において、ＳＩＰ信号受信部２１１は、Ｓ−ＣＳＣＦ１０３からＩＮＶＩＴＥ信号を受信する部分である。
【００３３】
サービス判断部２２１は、受信したＩＮＶＩＴＥ信号がフォーキング対象であるか否かを判断する部分である。具体的には、サービス判断部２２１は、ＩＮＶＩＴＥ信号のヘッダ部分にフォーキング指示を示す情報を含んでいるか否かを判断する。
【００３４】
このフォーキング指示を示す情報は、つぎの処理によって指定される。発ＮＷ１００のＳ−ＣＳＣＦ１０３は、発端末１０１からＩＮＶＩＴＥ信号を受信すると、着信者の情報を取得するために、発ＮＷ１００のＨＳＳ（Home Subscriber Server、図示せず）に問合せを行い、その着信者がフォーキング対象であるか否かの情報を取得する。そして、Ｓ−ＣＳＣＦ１０３は、フォーキング指示を示す情報を含んだヘッダ部を有するＩＮＶＩＴＥ信号を着ＮＷ２００のＡＳ２０１に送信する。ＡＳ２０１（サービス判断部２２１）は、このＩＮＶＩＴＥ信号のヘッダ部分に基づいて判断処理を行う。
【００３５】
なお、判断処理として、上記以外に、サービス判断部２２１は、着加入者情報（着端末の情報）とフォーキング対象の要否とを対応付けた情報を保持しており、着端末に応じてフォーキング対象であるか否かを判断してもよい。
【００３６】
ＳＩＰ信号送信部２４１は、ＩＮＶＩＴＥ信号がフォーキング指示を含むと判断されると、ＭＲＦ２０３にＩＮＶＩＴＥ信号を送信する。
【００３７】
ガイダンス判断部２３１は、ＭＲＦ２０３のガイダンス接続の終了を判断する部分である。本実施形態においては、ＭＲＦ２０３は、無音ガイダンス接続することから、所定時間経過後にガイダンス接続終了を判断してもよい。
【００３８】
このように構成されたＡＳ２０１の動作について説明する。図４は、ＡＳ２０１のフォーキング指示に基づいた動作を示すフローチャートである。図４に示されるとおり、ＳＩＰ信号受信部２１１は、ＩＮＶＩＴＥ信号を受信する（Ｓ２０１）。サービス判断部２２１は、ＩＮＶＩＴＥ信号のヘッダ部に基づいて、ＩＮＶＩＴＥ信号がフォーキング対象呼であるか否かを判断する（Ｓ２０２）。
【００３９】
ここでフォーキング対象呼ではないと判断されると、ＳＩＰ信号送信部２４１は、Ｓ−ＣＳＣＦ２０２およびＰ−ＣＳＣＦ２０４を介して、ＩＮＶＩＴＥ信号に含まれる宛先となる着端末に対して通信接続する（Ｓ２０３）。
【００４０】
フォーキング対象呼であると判断されると、ＳＩＰ信号送信部２４１は、Ｓ−ＣＳＣＦ２０２を介して、ＭＲＦ２０３と無音ガイダンス接続を行うために、ＭＲＦ２０３と通信接続する（Ｓ２０４）。そして、ＭＲＦ２０３と発端末１０１との間でリソース確保の処理が行われる。
【００４１】
つぎに、ＡＳ２０１およびＳ−ＣＳＣＦ２０２を含んだ通信システムにおける処理シーケンスについて説明する。図５は、その処理シーケンスを示す図である。
【００４２】
図５に示されるとおり、発端末１０１は、ＩＮＶＩＴＥ信号を着ＮＷ２００のＡＳ２０１に送信する（Ｓ３０１）。このとき、発端末１０１においてリソースは確保されていない状態であり、ＩＮＶＩＴＥ信号にはリソースが空き状態であることを示す情報が含まれている。
【００４３】
ＡＳ２０１において、ＳＩＰ信号受信部２１１は、ＩＮＶＩＴＥ信号を受信し、サービス判断部２２１は、そのヘッダ部がフォーキング指示を示す情報を含むか否か（フォーキング対象呼であるか否か）を判断する（Ｓ３０２）。ここではサービス判断部２２１は、ヘッダ部はフォーキング指示の情報を含むと判断し、ＳＩＰ信号送信部２４１は、Ｓ−ＣＳＣＦ２０２を介して、ＭＲＦ２０３にＩＮＶＩＴＥ信号（発側リソース空き情報を含む）を送信する。
【００４４】
ＭＲＦ２０３において、そのＩＮＶＩＴＥ信号を受信すると、自機のリソースが空き状態であることを確認し、その情報を含んだ１８３信号を送信する。
【００４５】
ＡＳ２０１のＳＩＰ信号受信部２１１は、ＭＲＦ２０３からリソースが空き状態であることを示す情報を含んだ１８３信号を受信する（Ｓ３０３）。
【００４６】
ＡＳ２０１において、ＳＩＰ信号送信部２４１は、さらにＩＮＶＩＴＥ信号（着側リソース空き）を送信し、発端末１０１から発側リソース済を通知するためのＵＰＤＡＴＥ信号を受信する（Ｓ３０４）。ＵＰＤＡＴＥ信号は、発端末１０１において、ＭＲＦ２０３と発端末１０１自身でのリソース空きが確認され、発端末１０１においてリソースの確保が行われた上で、リソース確保済みの通知のために送信される。
【００４７】
その後、ＡＳ２０１において、ＳＩＰ信号送信部２４１は、ＵＰＤＡＴＥ信号（発側リソース済）をＭＲＦ２０３に送信し、ＳＩＰ信号受信部２１１は、ＭＲＦ２０３から２００ＯＫ信号（着側リソース済み：ＵＰＤＡＴＥ信号に対する応答）を受信する（Ｓ３０５）。ＭＲＦ２０３から送信される２００ＯＫ信号は、ＭＲＦ２０３においてリソースが確保された上で、そのリソース確保の通知のために送信される。
【００４８】
ＡＳ２０１において、ＳＩＰ信号送信部２４１は、発端末１０１に２００ＯＫ信号（着側リソース済：ＵＰＤＡＴＥ信号に対応する応答）を送信する（Ｓ３０６）。
【００４９】
以上の処理により、発端末１０１とＭＲＦ２０３との間でリソースが確保されて、通信接続状態となる。ここでは、ＭＲＦ２０３は、無音ガイダンス接続を行う（Ｓ３０７）。
【００５０】
ＡＳ１００において、ガイダンス判断部２３１が無音ガイダンス接続の終了を判断すると、発端末１０１がリソース確保済みとし、ＳＩＰ信号送信部２４１は、Ｓ−ＣＳＣＦ２０２に、ＩＮＶＩＴＥ信号（発側リソース済）を送信する（Ｓ３０８）。このＩＮＶＩＴＥ信号のヘッダ部にはフォーキング指示を示す情報が含まれている。
【００５１】
Ｓ−ＣＳＣＦ２０２において、ＳＩＰ信号受信部２２２は、フォーキング指示を示すＩＮＶＩＴＥ信号（発側リソース済み）を受信すると、ＳＩＰ信号送信部２１２は、ＩＮＶＩＴＥ信号に含まれている宛先情報に基づいて、そのＩＮＶＩＴＥ信号（発側リソース済み）をＰ−ＣＳＣＦ２０４を介した着端末２０５および着端末２０６に対して送信する（Ｓ３０９）。
【００５２】
Ｓ−ＣＳＣＦ２０２において、ＳＩＰ信号受信部２２２は、それぞれの着端末２０５および着端末２０６から１８３信号（着側リソース済み）を受信する（Ｓ３１０）。ＳＩＰ信号受信部２２２は、この１８３信号を受信することで、プリコンディションを終端して、ＡＳ２０１と着端末２０５および着端末２０６との間でリソースが確保される。
【００５３】
そして、ＡＳ２０１は、発端末１０１に対して１８３信号（発側リソース済み）を送信する（Ｓ３１１）。
【００５４】
以上のことから、発端末１０１は、フォーキング処理を使って複数の着端末２０５および着端末２０６のいずれかと通信接続することができる。その際、発端末１０１は、プリコンディションのための処理負荷を軽減することができる。また、ＡＳ２０１は、発端末１０１との間でリソースが確保されていることから、発側リソース済みのＩＮＶＩＴＥ信号を送信することになる。したがって、ＵＰＤＡＴＥの処理が不要となり、発側（発端末１０１およびＡＳ２０１）におけるプリコンディションのための処理負荷を軽減することができる。
【００５５】
つぎに、本実施形態のＡＳ２０１の作用効果について説明する。ＡＳ２０１において、ＳＩＰ信号受信部２１１は、発端末１０１からの呼接続要求であるＩＮＶＩＴＥ信号を受信する。そして、サービス判断部２２１は、ＩＮＶＩＴＥ信号が、複数の宛先（着端末２０５、２０６）に分岐して着信させる分岐処理（フォーキング指示）を依頼したものであるか否かを判断する。ＳＩＰ信号送信部２４１は、分岐処理を依頼したものであると判断されると、あらかじめ定められた処理装置（例えばＭＲＦ２０３）へ接続処理を行う。
【００５６】
そして、ＳＩＰ信号送信部２４１は、当該処理装置（ＭＲＦ２０３）と発端末１０１との間のリソースを確保するために、ＭＲＦ２０３に通信接続し、ＭＲＦ２０３と発端末１０１とがリソースを確保した後、複数の宛先である着端末２０５、２０６との間でリソースの確保のための処理を行う。
【００５７】
このＡＳ２０１は、発端末１０１を一旦ＭＲＦ２０３に接続させることで、発端末１０１と処理装置（ＭＲＦ２０３）との間でリソースの確保を行うためのプリコンディション制御を行わせる。その後、ＡＳ２０１は、着端末２０５、２０６との間でリソースの確保のためのプリコンディション制御を行う。これにより、発端末１０１が個別に着端末２０５、２０６との間でリソース確保のためのプリコンディション制御を行う必要がなく、発端末１０１の処理負荷を軽減することができる。
【００５８】
さら、ＡＳ２０１は、発端末１０１におけるリソースが確保済みであるとして、発側がリソース確保済みを示すＩＮＶＩＴＥ信号を着端末２０５、２０６に送信することで、ＡＳ１０１および着端末２０５，２０６におけるプリコンディション制御のための処理負荷を軽減することができる。すなわち、発側リソースが確保済みである場合には、リソースの空きの確認およびリソースの確保のための通知処理（ＵＰＤＡＴＥ信号の送信）等を不要となる。
【００５９】
発端末１０１またはＡＳ２０１は、リソースが確保されていない状態では、リソース空き状態を示すＩＮＶＩＴＥ信号を送信し、その後、各端末・サーバにおけるリソースの確保処理を行い、ＵＰＤＡＴＥ信号による通知処理を行う。
【００６０】
リソースが確保された状態では、発端末１０１またはＡＳ２０１は、リソース済みを示すＩＮＶＩＴＥ信号を送信するため、リソース確保処理を不要とし、よってＵＰＤＡＴＥ信号の送信およびその応答となる２００ＯＫ信号を不要とする。
【００６１】
以上のことから、各端末・サーバにおけるプリコンディション制御の処理負荷を軽減することができる。本実施形態においてはＡＳ２０１におけるプリコンディション制御の処理負荷を軽減することができる。
【００６２】
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００６３】
例えば、本発明の一実施の形態におけるＡＳ２０１、ＭＲＦ２０３などは、本実施形態の上記処理を行うコンピュータとして機能してもよい。図６は、本実施形態に係るＡＳ２０１及びＭＲＦ２０３のハードウェア構成の一例を示す図である。上述のＡＳ２０１及びＭＲＦ２０３は、物理的には、プロセッサ１００１、メモリ１００２、ストレージ１００３、通信装置１００４、入力装置１００５、出力装置１００６、バス１００７などを含むコンピュータ装置として構成されてもよい。
【００６４】
なお、以下の説明では、「装置」という文言は、回路、デバイス、ユニットなどに読み替えることができる。ＡＳ２０１及びＭＲＦ２０３のハードウェア構成は、図に示した各装置を１つ又は複数含むように構成されてもよいし、一部の装置を含まずに構成されてもよい。
【００６５】
ＡＳ２０１及びＭＲＦ２０３における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００６６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、サービス判断部２２１などは、プロセッサ１００１で実現されてもよい。
【００６７】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ＡＳ２０１のサービス判断部２２１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００６９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述のＳＩＰ信号受信部２１１およびＳＩＰ信号送信部２４１などは、通信装置１００４で実現されてもよい。
【００７１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７２】
また、プロセッサ１００１やメモリ１００２などの各装置は、情報を通信するためのバス１００７で接続される。バス１００７は、単一のバスで構成されてもよいし、装置間で異なるバスで構成されてもよい。
【００７３】
また、ＡＳ２０１及びＭＲＦ２０３は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７４】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００７５】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC ConnectionReconfiguration）メッセージなどであってもよい。
【００７６】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７８】
情報等は、上位レイヤ(または下位レイヤ)から下位レイヤ(または上位レイヤ)へ出力され得る。複数のネットワークノードを介して入出力されてもよい。
【００７９】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８０】
判断は、１ビットで表される値（０か１か）によって行われてもよいし、真偽値（Boolean：trueまたはfalse）によって行われてもよいし、数値の比較（例えば、所定の値との比較）によって行われてもよい。
【００８１】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８３】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８４】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８５】
なお、本明細書で説明した用語及び／又は本明細書の理解に必要な用語については、同一の又は類似する意味を有する用語と置き換えてもよい。
【００８６】
本明細書で使用する「システム」および「ネットワーク」という用語は、互換的に使用される。
【００８７】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００８８】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００８９】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００９０】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００９１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９２】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００９３】
本明細書において、文脈または技術的に明らかに1つのみしか存在しない装置である場合以外は、複数の装置をも含むものとする。
【００９４】
本開示の全体において、文脈から明らかに単数を示したものではなければ、複数のものを含むものとする。
【符号の説明】
【００９５】
１０１…発端末、１０２…Ｐ−ＣＳＣＦ、１０３…Ｓ−ＣＳＣＦ、２０１…ＡＳ、２０２…Ｓ−ＣＳＣＦ、２０３…ＭＲＦ、２０４…Ｐ−ＣＳＣＦ、２０５、２０６…着端末、２１１…ＳＩＰ信号受信部、２２１…サービス判断部、２３１…ガイダンス判断部、２４１…ＳＩＰ信号送信部、２１２…ＳＩＰ信号送信部、２２２…ＳＩＰ信号受信部。
【図１】
2019102969.tif 000003
【図２】
2019102969.tif 000004
【図３】
2019102969.tif 000005
【図４】
2019102969.tif 000006
【図５】
2019102969.tif 000007
【図６】
2019102969.tif 000008